(57)【特許請求の範囲】
【請求項１】
上下に並んで配置されるとともに支持体によって傾動自在に支持された横長の複数の羽板を備え、窓等の開口部の外側に配置されるルーバー装置において、
前記複数の羽板のそれぞれは、
前記支持体によって支持される本体部と、
前記本体部の上端部から上方に突出する上側突出片と、
前記本体部の下端部から下方に突出する下側突出片と、を有しており、
前記複数の羽板のうち上方に位置する前記羽板の前記下側突出片と、下方に位置する前記羽板の前記上側突出片は、一方が前記本体部の正面側に位置し、他方が前記本体部の背面側に位置することによって正背方向に互いに離間し、さらに当該上側突出片と下側突出片の突端同士が互いに上下方向に行き違うように配置されていて、
前記上方に位置する羽板の前記本体部の下面と前記下側突出片の前記突端とに亘って、前記下方に位置する羽板の前記上側突出片の突端に当接するストッパーが設けられていることを特徴とするルーバー装置。
【請求項２】
請求項１に記載のルーバー装置において、
前記下方に位置する羽板の前記上側突出片の前記突端は、前記ストッパー側に膨出していて、
前記ストッパーは、前記下方に位置する羽板の前記上側突出片の前記突端の膨出形状に対応して部分的に凹んだ状態となっていることを特徴とするルーバー装置。
【請求項３】
請求項１又は２に記載のルーバー装置において、
前記上側突出片と前記下側突出片のうち、前記本体部の正面側に位置する一方の正面は当該本体部の正面と面一になっており、前記本体部の背面側に位置する他方の背面は当該本体部の背面と面一になっていることを特徴とするルーバー装置。
【請求項４】
請求項３に記載のルーバー装置において、
前記本体部と、前記上側突出片および前記下側突出片のそれぞれとは一体形成されており、
前記本体部の上面と前記上側突出片との境界部分と、前記本体部の下面と前記下側突出片の境界部分は曲面形状となっていることを特徴とするルーバー装置。
【請求項５】
請求項１〜４のいずれか一項に記載のルーバー装置において、
前記羽板の正面と背面のうち少なくとも開放状態時に上を向く面は、凹凸加工が施されることによって光拡散機能を有することを特徴とするルーバー装置。
【請求項６】
請求項１〜５のいずれか一項に記載のルーバー装置において、
前記支持体は、前記複数の羽板の長さ方向両端部に位置し、当該複数の羽板が架け渡される複数の縦枠を備えており、
前記複数の縦枠間には、前記複数の羽板それぞれの傾動軌跡から外れた位置に配置される横格子材が架け渡されて固定されていることを特徴とするルーバー装置。
【発明の詳細な説明】
【技術分野】
【０００１】
本発明は、ルーバー装置に関する。
【背景技術】
【０００２】
住宅等の建物には、良好な採光性と通風性を確保するために窓等の開口部が形成されるが、当該開口部を通して建物内が隣家や外部から見えることがある。そこで、従来、開口部の外側に、例えば特許文献１に記載のようなルーバー装置を設置して、隣家や外部からの視線を遮るための様々な工夫がなされている。
【先行技術文献】
【特許文献】
【０００３】
【特許文献１】特開２００２−１１５４６９号公報
【発明の概要】
【発明が解決しようとする課題】
【０００４】
ところで、ルーバー装置が外側に取り付けられた開口部を利用して室内の換気を行う際には、開口部を開放するとともに、ルーバー装置の羽板を回転させて開放状態とする。
ところが、外部から開口部への視線を遮るために羽板を回転させて開放状態から閉塞状態にすると、視線を遮ることはできるものの、十分な換気量を得ることが難しかった。
【０００５】
本発明の課題は、外部から開口部への視線を確実に遮ることができるとともに、十分な換気量を得ることが可能なルーバー装置を提供することを目的とする。
【課題を解決するための手段】
【０００６】
請求項１に記載の発明は、例えば図１〜図７に示すように、
上下に並んで配置されるとともに支持体１０によって傾動自在に支持された横長の複数の羽板２０（３０）を備え、窓等の開口部１の外側に配置されるルーバー装置Ｌ１，Ｌ２において、
前記複数の羽板２０（３０）のそれぞれは、
前記支持体１０によって支持される本体部２１（３１）と、
前記本体部２１（３１）の上端部から上方に突出する上側突出片２２（３２）と、
前記本体部２１（３１）の下端部から下方に突出する下側突出片２３（３３）と、を有しており、
前記複数の羽板２０（３０）のうち上方に位置する前記羽板２０（３０）の前記下側突出片２３（３３）と、下方に位置する前記羽板２０（３０）の前記上側突出片２２（３２）は、一方が前記本体部２１（３１）の正面側に位置し、他方が前記本体部２１（３１）の背面側に位置することによって正背方向に互いに離間し、さらに当該上側突出片２２（３２）と下側突出片２３（３３）の突端２２ａ，２３ａ（３２ａ，３３ａ）同士が互いに上下方向に行き違うように配置されていて、
前記上方に位置する羽板３０の前記本体部３１の下面と前記下側突出片３３の前記突端３３ａとに亘って、前記下方に位置する羽板３０の前記上側突出片３２の前記突端３２ａに当接するストッパー３６が設けられていることを特徴とする。
請求項１に記載の発明によれば、複数の羽板２０（３０）のうち上方に位置する羽板２０（３０）の下側突出片２３（３３）と、下方に位置する羽板２０（３０）の上側突出片２２（３２）は、一方が本体部２１（３１）の正面側に位置し、他方が本体部２１（３１）の背面側に位置することによって正背方向に互いに離間し、さらに当該上側突出片２２（３２）と下側突出片２３（３３）の突端２２ａ，２３ａ（３２ａ，３３ａ）同士が互いに上下方向に行き違うように配置されているので、上下に隣り合う羽板２０（３０）間に、所謂クランク状に曲折した隙間を形成することができる。さらに、上側突出片２２（３２）と下側突出片２３（３３）の突端２２ａ，２３ａ（３２ａ，３３ａ）同士が互いに上下方向に行き違うことで、通風を可能としつつ、外部から開口部１への視線を遮断することができる。これによって、外部から開口部１への視線を確実に遮ることができるとともに、十分な換気量を得ることが可能となる。
そして、上方に位置する羽板３０の本体部３１の下面と下側突出片３３の突端３３ａとに亘って、下方に位置する羽板３０の上側突出片３２の突端３２ａに当接するストッパー３６が設けられているので、ルーバー装置Ｌ２を閉塞状態とした時に、複数の羽板３０が上下方向に真っ直ぐ並ぶ。
【０００７】
請求項２に記載の発明は、例えば図１〜図７に示すように、
請求項１に記載のルーバー装置Ｌ１，Ｌ２において、
前記下方に位置する羽板３０の前記上側突出片３２の前記突端３２ａは、前記ストッパー３６側に膨出していて、
前記ストッパー３６は、前記下方に位置する羽板３０の前記上側突出片３２の前記突端３２ａの膨出形状に対応して部分的に凹んだ状態となっていることを特徴とする。
請求項２に記載の発明によれば、ストッパー３６が、下方に位置する羽板３０の上側突出片３２の突端３２ａの膨出形状に対応して部分的に凹んだ状態となっているので、ルーバー装置Ｌ２を閉塞状態とした時に、複数の羽板３０が上下方向に真っ直ぐ並び、納まりが良くなる。
【０００８】
請求項３に記載の発明は、例えば図１〜図７に示すように、
請求項１又は２に記載のルーバー装置Ｌ１，Ｌ２において、
前記上側突出片２２（３２）と前記下側突出片２３（３３）のうち、前記本体部２１（３１）の正面側に位置する一方の正面は当該本体部２１（３１）の正面と面一になっており、前記本体部２１（３１）の背面側に位置する他方の背面は当該本体部２１（３１）の背面と面一になっていることを特徴とする。
【０００９】
請求項３に記載の発明によれば、上側突出片２２（３２）と下側突出片２３（３３）のうち、本体部２１（３１）の正面側に位置する一方の正面は当該本体部２１（３１）の正面と面一になっており、本体部２１（３１）の背面側に位置する他方の背面は当該本体部２１（３１）の背面と面一になっているので、開放状態時にした時の上下面が正背方向に伸びたように見せることができ、見映えが良い。
【００１０】
請求項４に記載の発明は、例えば図５〜図７に示すように、
請求項３に記載のルーバー装置Ｌ２において、
前記本体部３１と、前記上側突出片３２および前記下側突出片３３のそれぞれとは一体形成されており、
前記本体部３１の上面と前記上側突出片３２との境界部分３２ｂと、前記本体部３１の下面と前記下側突出片３３の境界部分３３ｂは曲面形状となっていることを特徴とする。
【００１１】
請求項４に記載の発明によれば、本体部３１の上面と上側突出片３２との境界部分３２ｂと、本体部３１の下面と下側突出片３３の境界部分３３ｂは曲面形状となっているので、当該曲面形状の境界部分３２ｂ，３３ｂに沿って通過する空気が抵抗を受けにくくなり、上下に隣り合う羽板３０間を通過する空気の流れをスムーズにすることができる。これによって、ルーバー装置Ｌ２を閉塞状態とした場合であっても、十分な換気量の確保に貢献できる。
また、当該曲面形状の境界部分３２ｂ，３３ｂが目に入った際に、例えば本体部３１と、上側突出片３２および下側突出片３３のそれぞれとが角張った状態で一体形成される場合よりも柔らかな印象を与えることができる。
【００１２】
請求項５に記載の発明は、例えば図１〜図７に示すように、
請求項１〜４のいずれか一項に記載のルーバー装置Ｌ１，Ｌ２において、
前記羽板２０（３０）の正面と背面のうち少なくとも開放状態時に上を向く面は、凹凸加工（凹凸２４，２５、凹凸３４，３５）が施されることによって光拡散機能を有することを特徴とする。
【００１３】
請求項５に記載の発明によれば、羽板２０（３０）の正面と背面のうち少なくとも開放状態時に上を向く面は、凹凸加工（凹凸２４，２５、凹凸３４，３５）が施されることによって光拡散機能を有するので、当該上を向く面に入射する光を拡散させることができる。これによって、当該上を向く面に反射し、開口部１を通じて室内に入る光の眩しさを低減できる。
【００１４】
請求項６に記載の発明は、例えば図６，図７に示すように、
請求項１〜５のいずれか一項に記載のルーバー装置Ｌ２において、
前記支持体１０は、前記複数の羽板３０の長さ方向両端部に位置し、当該複数の羽板３０が架け渡される複数の縦枠１２を備えており、
前記複数の縦枠１２間には、前記複数の羽板３０それぞれの傾動軌跡から外れた位置に配置される横格子材１６が架け渡されて固定されていることを特徴とする。
【００１５】
請求項６に記載の発明によれば、複数の羽板３０を支持する複数の縦枠１２間に、複数の羽板３０それぞれの傾動軌跡から外れた位置に配置される横格子材１６が架け渡されて固定されているので、防犯性に優れる。すなわち、たとえ複数の羽板３０が取り外して開口部１から侵入を図ろうとしても、横格子材１６によってこれを防ぐことができるので、防犯性を向上させることができる。
【発明の効果】
【００１６】
本発明によれば、外部から開口部への視線を確実に遮ることができるとともに、十分な換気量を得ることが可能となる。
【図面の簡単な説明】
【００１７】
【図１】閉塞状態時におけるルーバー装置の複数の羽板を示す断面図である。
【図２】開放状態時におけるルーバー装置の複数の羽板を示す断面図である。
【図３】夏場におけるルーバー装置の使用状態を示す図である。
【図４】冬場におけるルーバー装置の使用状態を示す図である。
【図５】羽板の他の例を示す断面図である。
【図６】図５に示す羽板を採用したルーバー装置の取付状態を示す断面図である。
【図７】羽板の傾動と横格子材との位置関係を説明する図である。
【発明を実施するための形態】
【００１８】
以下、図面を参照して本発明の実施の形態について説明する。
本実施の形態におけるルーバー装置Ｌ１，Ｌ２は、図１〜図７に示すように、上下に並んで配置されるとともに支持体１０によって傾動自在に支持された横長の複数の羽板２０（３０）を備え、窓等の開口部１の外側（前方）に配置されるものである。
開口部１は、腰高窓や掃き出し窓等の各種窓であり、外壁２に対して形成されている。また、開口部１には窓サッシ３が取り付けられており、当該窓サッシ３は、開口部１を開閉するためのガラス付きの建具４を備える。すなわち、建具４を移動させて開口部１を開放させれば、室内の換気と採光を行うことができる。また、開口部１を閉塞させれば換気を行わずに採光を行うことができる。
ルーバー装置Ｌ１，Ｌ２は、図３，図４，図６に示すように、窓サッシ３に対して直接、またはブラケット１１を介して取り付けられている。なお、図示はしないが、当該ルーバー装置Ｌ１，Ｌ２は、外壁２に対して取り付けられていてもよい。換言すれば、ルーバー装置Ｌ１，Ｌ２の背面側に開口部１がある状態となる。
【００１９】
ルーバー装置Ｌ１，Ｌ２は、図１，図６，図７に示すように、複数の羽板２０（３０）が側面視または側断面視において縦向きになり、かつ視線が通る状態を開放状態とする。また、図２，図７等に示すように、複数の羽板２０（３０）が側面視または側断面視において横向きになり、かつ視線が通らない状態を閉塞状態とする。
ただし、本実施の形態におけるルーバー装置Ｌ１，Ｌ２は、開放状態であっても、また閉塞状態であっても複数の羽板２０（３０）間を空気が通過するように構成されている。
【００２０】
支持体１０は、互いに離間して配置される複数の縦枠１２と、当該複数の縦枠１２の上端部間および下端部間に架け渡される複数の横枠１３と、を備えることによって枠状に形成されている。複数の縦枠１２は、複数の羽板２０（３０）の長さ方向両端部に位置し、当該複数の羽板２０（３０）が架け渡されるものである。
複数の羽板２０（３０）は、複数の縦枠１２間に架け渡されるとともに、当該複数の縦枠１２によって傾動自在に支持されている。すなわち、縦枠１２には、複数の羽板２０（３０）のそれぞれに向かって突出する回転軸１２ａが複数設けられており、当該複数の回転軸１２ａと各羽板２０（３０）とが連結されている（例えば図６，図７参照）。
ブラケット１１は、縦枠１２と窓サッシ３とを連結するようにして設けられている（例えば図６参照）。
【００２１】
図１，図２を参照して複数の羽板２０について、より詳細に説明する。
複数の羽板２０のそれぞれは、本体部２１と、上側突出片２２と、下側突出片２３と、を有する。また、羽板２０は図１，図２の紙面と直交する方向に長尺に形成されており、アルミ等の金属による押出成形品である。すなわち、羽板２０は、その長さ方向に同一断面を有する長尺材であり、本体部２１と、上側突出片２２と、下側突出片２３は一体形成されている。
複数の羽板２０は、本体部２１の軸芯が上下方向に揃うようにして上下方向に並んで設けられている。
【００２２】
本体部２１は、矩形筒状に形成されており、支持体１０によって支持される。本体部２１の正面（前面）、背面（後面）、上面、下面を構成する壁は薄板状であり、当該各面を構成する壁によって囲まれる中空部をなるべく大きく確保するようにしている。
【００２３】
上側突出片２２は、閉塞状態において本体部２１の上端部から上方に突出する板状体である。その厚みは、本体部２１の各面を構成する壁と略等しく設定されている。
また、当該上側突出片２２は本体部２１の背面側（開口部１側）に位置し、その背面が本体部２１の背面と面一になっている。
【００２４】
下側突出片２３は、閉塞状態において本体部２１の下端部から下方に突出する板状体である。その厚みは、本体部２１の各面を構成する壁と略等しく設定されている。
また、当該下側突出片２３は本体部２１の正面側（開口部１とは反対側）に位置し、その正面が本体部２１の正面と面一になっている。
【００２５】
そして、複数の羽板２０のうち上方に位置する羽板２０の下側突出片２３と、下方に位置する羽板２０の上側突出片２２は、下側突出片２３が本体部２１の正面側に位置し、上側突出片２２が本体部２１の背面側に位置することによって正背方向に互いに離間している。
さらに、当該上側突出片２２と下側突出片２３の突端２２ａ，２３ａ同士が互いに上下方向に行き違うように配置されている。これら突端２２ａ，２３ａは、それぞれ、上下方向に隣り合う羽板２０の本体部２１に到達しないように配置されている。
すなわち、上方に位置する羽板２０における下側突出片２３の突端２３ａと、下方に位置する羽板２０における上側突出片２２の突端２２ａは、図１に示すように僅かに（例えば５ｍｍ〜１５ｍｍ程度）上下方向に行き違いなっている。したがって、正面から閉塞状態における複数の羽板２０を見た場合には、上方に位置する羽板２０における下側突出片２３の突端２３ａと、下方に位置する羽板２０における上側突出片２２の突端２２ａは僅かに重なった状態となる。
【００２６】
上側突出片２２と下側突出片２３とが、本体部２１に対して上述のように設けられているので、上下に隣り合う羽板２０，２０間には、所謂クランク状に曲折した隙間を形成することができる。
そして、外部から開口部１側に吹く風は、当該曲折した隙間を、図１に示す矢印Ｙ１のように通過する。一方、外部から開口部１に向けられる視線は、当該曲折した隙間を抜けにくくなる。
【００２７】
以上のような構成の複数の羽板２０を傾動させる際において、上側突出片２２および下側突出片２３の突出寸法が長い場合は、これら上側突出片２２と下側突出片２３とが接触することが考えられる。そのため、複数の羽板２０の傾動方向は、上方に位置する羽板２０の下側突出片２３と、下方に位置する羽板２０の上側突出片２２とが離間する方向に設定されている（図７参照）。すなわち、上側突出片２２が背面側に傾き、下側突出片２３が正面側に傾くように傾動する。
なお、上側突出片２２および下側突出片２３の突出寸法が短い場合、傾動方向については特に限定されるものではない。
【００２８】
また、ルーバー装置Ｌ１は、複数の羽板２０を連動して傾動させる連動機構を備えるものとする。ただし、これに限られるものではなく、羽板２０のそれぞれを個々に傾動できるようにしてもよい。なお、複数の羽板２０を連動して傾動させる連動機構は、手動で操作するものでもよく、所定のプログラムに基づいて自動制御されるものであってもよい。
【００２９】
なお、本実施の形態において、上側突出片２２は本体部２１の背面側に位置し、下側突出片２３は本体部２１の正面側に位置するものとしたが、これら上側突出片２２と下側突出片２３の位置は逆でもよい。
上側突出片２２と下側突出片２３の正背の位置を逆にした場合、その傾動方向は、上方に位置する羽板２０の下側突出片２３と、下方に位置する羽板２０の上側突出片２２とが離間する方向であることに変わりはないが、実際には逆になる。すなわち、上側突出片２２が正面側に傾き、下側突出片２３が背面側に傾くように傾動する。
【００３０】
また、複数の羽板２０の正面と背面のうち少なくとも開放状態時に上を向く面は、凹凸加工が施されることによって光拡散機能を有する。本実施の形態においては、各羽板２０の正面と背面の双方に凹凸２４，２５が形成されている。すなわち、図１において羽板２０の正面に形成された凹凸２４は、羽板２０の傾動時に、図２に示すように上を向く。一方、羽板２０の背面に形成された凹凸２５は、羽板２０の傾動時に下を向くことになる。
そして、上を向く面に入射した光は、凹凸２４によって拡散しながら反射し、下を向く面に入射した光は、凹凸２５によって拡散しながら反射する。なお、上下に隣り合う羽板２０間でも光の反射があり、光がより多く拡散することになる。
【００３１】
図１，図２に示すような羽板２０を複数備えるルーバー装置Ｌ１は、図３，図４に示すように、開口部１の外側に配置されている。当該ルーバー装置Ｌ１は窓サッシ３に対して直接取り付けられている。また、当該ルーバー装置Ｌ１は、羽板２０同様、アルミ等の金属によって製造されている。
複数の羽板２０は、支持体１０の縦枠１２に沿って上下方向に並んで配置され、図示しない回転軸を介して縦枠１２に傾動自在に取り付けられている。
なお、複数の羽板２０は、図示しない連動機構によって連動して傾動するように構成されているものとする。
【００３２】
図３は、夏場におけるルーバー装置Ｌ１の使用状態を示すものであり、複数の羽板２０の傾斜角度を適宜調整し、当該複数の羽板２０を庇として機能させている。特に、各羽板２０を外側に向かって下り勾配となるように傾動させることによって、庇としての機能を発揮しやすい。
図３に示す矢印Ｙ２は、夏至の時の日射角度であり、複数の羽板２０の角度を調整し、庇として機能させることによって、日射が、開口部１を介して室内に直接差し込むことを防ぐことができる。また、複数の羽板２０に入射した光は凹凸２４，２５によって拡散されるので好ましい。
【００３３】
図４は、冬場におけるルーバー装置Ｌ１の使用状態を示すものであり、複数の羽板２０の傾斜角度を適宜調整し、日射を、開口部１を介して室内に取り込みやすくしている。特に、各羽板２０を開口部１に向かって下り勾配となるように傾動させることによって、日射を室内に取り込みやすくなる。
図４に示す矢印Ｙ３は、当時の時の日射角度であり、複数の羽板２０角度を調整することで、日射を、開口部１を介して室内に直接差し込ませることができる。また、複数の羽板２０に入射した光は凹凸２４，２５によって拡散されて室内に入るので好ましい。
【００３４】
次に、図５を参照して複数の羽板３０について、より詳細に説明する。なお、当該複数の羽板３０は、上述した複数の羽板２０と類似構成であるため、異なる構成部分や特に説明が必要であると判断される部分についてのみ説明する。
【００３５】
複数の羽板３０のそれぞれは、本体部３１と、上側突出片３２と、下側突出片３３と、を有する。
そして、上方に位置する羽板３０の下側突出片３３と、下方に位置する羽板３０の上側突出片３２は、下側突出片３３が本体部３１の正面側に位置し、上側突出片３２が本体部３１の背面側に位置することによって正背方向に互いに離間している。
さらに、当該上側突出片３２と下側突出片３３の突端３２ａ，３３ａ同士が互いに上下方向に行き違うように配置されている。これら突端３２ａ，３３ａは、それぞれ、上下方向に隣り合う羽板３０の本体部３１に到達しないように配置されている。
すなわち、上方に位置する羽板３０における下側突出片３３の突端３３ａと、下方に位置する羽板３０における上側突出片３２の突端３２ａは、図５に示すように僅かに（例えば５ｍｍ〜１５ｍｍ程度）上下方向に行き違いなっている。したがって、正面から閉塞状態における複数の羽板３０を見た場合には、上方に位置する羽板３０における下側突出片３３の突端３３ａと、下方に位置する羽板３０における上側突出片３２の突端３２ａは僅かに重なった状態となる。
【００３６】
さらに、本体部３１の上面と上側突出片３２との境界部分３２ｂと、本体部３１の下面と下側突出片３３の境界部分３３ｂは曲面形状となっている。当該境界部分３２ｂ，３３ｂは、上下に隣り合う羽板３０間の隙間に面しているため、所謂クランク状の隙間を形成する面が曲面形状となる。これによって、当該曲面形状の境界部分３２ｂ，３３ｂに沿って通過する空気が抵抗を受けにくくなり、上下に隣り合う羽板３０間を通過する空気の流れをスムーズにすることができる。
【００３７】
また、複数の羽板３０の正面と背面の双方に凹凸３４，３５が形成されている。すなわち、図７において羽板３０の正面に形成された凹凸３４は、羽板３０の傾動時に上を向く。一方、羽板３０の背面に形成された凹凸３５は、羽板３０の傾動時に下を向くことになる。
そして、上を向く面に入射した光は、凹凸２４によって拡散しながら反射し、下を向く面に入射した光は、凹凸２５によって拡散しながら反射する。
【００３８】
図５に示すような羽板３０を複数備えるルーバー装置Ｌ２は、図６に示すように、開口部１の外側に配置されている。当該ルーバー装置Ｌ２は窓サッシ３に対して、ブラケット１１を介して取り付けられている。また、当該ルーバー装置Ｌ２は、羽板３０同様、アルミ等の金属によって製造されている。
複数の羽板３０は、支持体１０の縦枠１２に沿って上下方向に並んで配置され、回転軸１２ａを介して縦枠１２に傾動自在に取り付けられている。また、複数の羽板３０は、連動機構によって連動して傾動するように構成されているものとする。
【００３９】
連動機構は、複数の羽板３０を連動して傾動させることができれば特に限定されるものではない。本実施の形態において連動機構は、図６，図７に示すように、複数のアーム１４と、リンクと、操作部１５と、を備える。
複数のアーム１４は、複数の羽板３０の回転中心である複数の回転軸１２ａと一体的に連結されている。
リンクは、複数のアーム１４同士を連結している。
操作部１５は、支持体１０の縦枠１２に設けられるとともにリンクに連結され、当該リンクを操作するものである。操作部１５によってリンクを操作することで複数のアーム１４を連動して操作することができ、結果的に複数の羽板３０を操作することができる。
【００４０】
ルーバー装置Ｌ２における支持体１０の複数の縦枠１２間には、金属製の横格子材１６が架け渡されて固定されている。当該横格子材１６は、防犯のために設けられるものであり、例えば複数の羽板３０が取り外されたり、破られたりした場合でも横格子材１６が残ることになる。
少なくとも人が横格子材１６を破って開口部１を通過できなければよいので、横格子材１６の取り付け本数や取り付け間隔は、開口部１の大きさ（開口面積）を考慮するとともに、通風性・採光性・景観性・眺望性を確保する点について考慮することが望ましい。
【００４１】
図７には、横格子材１６の取り付け可能範囲Ｒ１，Ｒ２が示されている（図７においてドットが多数現れている箇所）。すなわち、横格子材１６は、複数の羽板３０それぞれの傾動軌跡から外れた位置に配置されている。
複数の羽板３０よりも背面側において複数の縦枠１２間に架け渡される場合、横格子材１６は、取り付け可能範囲Ｒ１内に配置される。この場合、横格子材１６は、複数の縦枠１２に対して直接固定されている。
複数の羽板３０よりも正面側において複数の縦枠１２間に架け渡される場合、横格子材１６は、取り付け可能範囲Ｒ２内に配置される。この場合、横格子材１６は、複数の縦枠１２に対して、図示しないブラケット等を介して固定されるものとする。
【００４２】
なお、図７に例示するように、複数の羽板３０のそれぞれは、ストッパー３６を有していてもよい。当該ストッパー３６は、閉塞状態における各羽板３０の下端部であって、かつ長さ方向の少なくとも一端部に一体的に設けられている。
より詳細に説明すると、ストッパー３６は、上方に位置する羽板３０において本体部３１の下面と下側突出片３３の突端３３ａとに亘って一体的に設けられている。また、その断面形状は略Ｌ字状であり、下方に位置する羽板３０における上側突出片３２の突端３２ａの形状に対応している。すなわち、下方に位置する羽板３０における上側突出片３２の突端３２ａは、ストッパー３６側に膨出している。ストッパー３６は、当該突端３２ａの膨出形状に対応して部分的に凹んだ状態となっている。これによって、ルーバー装置Ｌ２を閉塞状態とした時に、複数の羽板３０が上下方向に真っ直ぐ並び、納まりが良くなるので好ましい。
【００４３】
本実施の形態によれば、複数の羽板２０（３０）のうち上方に位置する羽板２０（３０）の下側突出片２３（３３）と、下方に位置する羽板２０（３０）の上側突出片２２（３２）は、一方が本体部２１（３１）の正面側に位置し、他方が本体部２１（３１）の背面側に位置することによって正背方向に互いに離間し、さらに当該上側突出片２２（３２）と下側突出片２３（３３）の突端２２ａ，２３ａ（３２ａ，３３ａ）同士が互いに上下方向に行き違うように配置されているので、上下に隣り合う羽板２０（３０）間に、所謂クランク状に曲折した隙間を形成することができる。さらに、上側突出片２２（３２）と下側突出片２３（３３）の突端２２ａ，２３ａ（３２ａ，３３ａ）同士が互いに上下方向に行き違うことで、通風を可能としつつ、外部から開口部１への視線を遮断することができる。これによって、外部から開口部１への視線を確実に遮ることができるとともに、十分な換気量を得ることが可能となる。
【００４４】
また、上側突出片２２（３２）と下側突出片２３（３３）のうち、本体部２１（３１）の正面側に位置する一方の正面は当該本体部２１（３１）の正面と面一になっており、本体部２１（３１）の背面側に位置する他方の背面は当該本体部２１（３１）の背面と面一になっているので、開放状態時にした時の上下面が正背方向に伸びたように見せることができ、見映えが良い。
【００４５】
また、羽板２０（３０）の正面と背面のうち少なくとも開放状態時に上を向く面は、凹凸加工（凹凸２４，２５、凹凸３４，３５）が施されることによって光拡散機能を有するので、当該上を向く面に入射する光を拡散させることができる。これによって、当該上を向く面に反射し、開口部１を通じて室内に入る光の眩しさを低減できる。
【００４６】
また、ルーバー装置Ｌ２において、本体部３１の上面と上側突出片３２との境界部分３２ｂと、本体部３１の下面と下側突出片３３の境界部分３３ｂは曲面形状となっているので、当該曲面形状の境界部分３２ｂ，３３ｂに沿って通過する空気が抵抗を受けにくくなり、上下に隣り合う羽板３０間を通過する空気の流れをスムーズにすることができる。これによって、ルーバー装置Ｌ２を閉塞状態とした場合であっても、十分な換気量の確保に貢献できる。
また、当該曲面形状の境界部分３２ｂ，３３ｂが目に入った際に、例えば本体部３１と、上側突出片３２および下側突出片３３のそれぞれとが角張った状態で一体形成される場合よりも柔らかな印象を与えることができる。
【００４７】
また、ルーバー装置Ｌ２において、複数の羽板３０を支持する複数の縦枠１２間に、複数の羽板３０それぞれの傾動軌跡から外れた位置に配置される横格子材１６が架け渡されて固定されているので、防犯性に優れる。すなわち、たとえ複数の羽板３０が取り外して開口部１から侵入を図ろうとしても、横格子材１６によってこれを防ぐことができるので、防犯性を向上させることができる。
【符号の説明】
【００４８】
Ｌ１  ルーバー装置
Ｌ２  ルーバー装置
１  開口部
１０  支持体
２０  羽板
２１  本体部
２２  上側突出片
２２ａ  突端
２３  下側突出片
２３ａ  突端
３０  羽板
３１  本体部
３２  上側突出片
３２ａ  突端
３３  下側突出片
３３ａ  突端
【図１】
0006444117.tif 000002
【図２】
0006444117.tif 000003
【図３】
0006444117.tif 000004
【図４】
0006444117.tif 000005
【図５】
0006444117.tif 000006
【図６】
0006444117.tif 000007
【図７】
0006444117.tif 000008